【事件の表示】
　特願２００１−２９２７５１「ＬＣＤの残像改善システム」拒絶査定不服審判事件〔平成１４年　６月２１日出願公開、特開２００２−１７５０６３〕について、次のとおり審決する。
【結　論】
　本件審判の請求は、成り立たない。
【理　由】
第１　手続の経緯
　本件出願は、平成１３年９月２６日（優先権主張：２０００年１０月１１日，台湾）の出願であって、平成１７年２月２８日付け（発送日：同年３月３日）で拒絶査定がなされ、これに対し同年４月１日に拒絶査定に対する審判請求がなされるとともに、同年４月２８日に手続補正書が提出されたものである。
　
第２　平成１７年４月２８日に提出された手続補正書についての補正の却下の決定
　
［補正の却下の決定の結論］
　平成１７年４月２８日に提出された手続補正書による補正（以下「本件補正」という。）を却下する。
　
［補正の却下の決定の理由］
１　本件補正の内容
　本件補正は、特許請求の範囲を次のように補正する内容を含むものである。
　
（１）本件補正前の特許請求の範囲　
　「【請求項１】　動作電力を提供する電源と、
　前記動作電力下で、外部電源の電圧値と予定電圧値を比較することによって、外部電源の電圧値を検出するとともに、その比較した結果により制御信号を生成する電圧検出器と、
　予定パターンを提供する内部パターンジェネレーターと、前記電圧検出器の前記制御信号により入力パターン信号ソースを前記内部パターンジェネレーターに切り換えて予定パターンを受信するマルチプレクサと、前記マルチプレクサの出力による前記予定パターンを制御するためのローカルクロックを提供する内部発振器とを含むとともに、前記制御信号により、予定パターンを前記ＬＣＤに出力して残像を改善するビデオ及びタイミング制御ユニットと、
　を備えることを特徴とするＬＣＤ電源オフの残像改善システム。
　　【請求項２】　前記予定電圧値は、通常操作の間における外部電源の動作電圧値と電源オフの電圧値との範囲内に設定するものである請求項１に記載のＬＣＤ電源オフの残像改善システム。
　　【請求項３】　前記予定パターンはＬＣＤフレーム全体に適用される白色信号である請求項１又は請求項２に記載のＬＣＤ電源オフの残像改善システム。
　　【請求項４】　前記予定パターンはＬＣＤフレーム全体に適用される黒色信号である請求項１又は請求項２に記載のＬＣＤ電源オフの残像改善システム。
　　【請求項５】　動作電力を提供する電源と、
　前記動作電力下で、外部電源の電圧値と予定電圧値を比較することによって、外部電源の電圧値を検出するとともに、その比較した結果により制御信号を生成する電圧検出器と　予定パターンを提供する内部パターンジェネレーターと、前記電圧検出器の前記制御信号による予定パターンを受信して、入力パターン信号ソースを前記内部パターンジェネレーターに切り換えるマルチプレクサと、前記マルチプレクサの出力による前記予定パターンを制御するためのローカルクロックを提供する内部発振器とを含むとともに、前記制御信号により、予定パターンをＬＣＤに出力して残像を改善するビデオ及びタイミング制御ユニットと、
　前記予定パターンを受信することにより、前記ＬＣＤフレームを更新して、ディスプレイの前記残像を改善するディスプレイマトリックス回路と、
を備えることを特徴とするＬＣＤ電源オフの残像改善システム。
　　【請求項６】　前記予定電圧値は、通常操作の間における外部電源の動作電圧値と電源オフの電圧値との範囲内に設定するものである請求項５に記載のＬＣＤ電源オフの残像改善システム。
　　【請求項７】　前記予定パターンは前記ＬＣＤフレーム全体に適用される白色信号である請求項５又は請求項６に記載のＬＣＤ電源オフの残像改善システム。
　　【請求項８】　前記予定パターンは前記ＬＣＤフレーム全体に適用される黒色信号である請求項５又は請求項６に記載のＬＣＤ電源オフの残像改善システム。
　　【請求項９】　前記ディスプレイマトリックス回路は、
　行を選択するゲートドライバーと、
　選択された行により、前記予定パターンを入力するデータドライバーと、
　前記入力済み予定パターンを表示するＬＣＤと、
を含むものである請求項５〜請求項８いずれかに記載のＬＣＤ電源オフの残像改善システム。」
　
（２）本件補正後の特許請求の範囲
　「【請求項１】　動作電力を提供する電源と、
　前記動作電力下で、外部電源の電圧値と予定電圧値を比較することによって、外部電源の電圧値を検出するとともに、その比較した結果により制御信号を生成する電圧検出器と、
　予定パターンを提供する内部パターンジェネレーターと、前記電圧検出器の前記制御信号により入力パターン信号ソースを前記内部パターンジェネレーターに切り換えて予定パターンを受信するマルチプレクサと、前記マルチプレクサの出力による前記予定パターンを制御するためのローカルクロックを提供する内部発振器とを含むとともに、前記制御信号により、予定パターンを前記ＬＣＤに出力して残像を改善するビデオ及びタイミング制御ユニットと、備え、
　
ビデオ及びタイミング制御ユニットへの外部信号が遮断された際に、内部発振器により生成されるローカルクロックを内部パターンジェネレーターに入力して、マルチプレクサの出力による予定パターンを制御する
　　【請求項２】　前記予定電圧値は、通常操作の間における外部電源の動作電圧値と電源オフの電圧値との範囲内に設定するものである請求項１に記載のＬＣＤ電源オフの残像改善システム。
　　【請求項３】　前記予定パターンはＬＣＤフレーム全体に適用される白色信号である請求項１又は請求項２に記載のＬＣＤ電源オフの残像改善システム。
　　【請求項４】　前記予定パターンはＬＣＤフレーム全体に適用される黒色信号である請求項１又は請求項２に記載のＬＣＤ電源オフの残像改善システム。
　　【請求項５】　動作電力を提供する電源と、
　前記動作電力下で、外部電源の電圧値と予定電圧値を比較することによって、外部電源の電圧値を検出するとともに、その比較した結果により制御信号を生成する電圧検出器と　予定パターンを提供する内部パターンジェネレーターと、前記電圧検出器の前記制御信号による予定パターンを受信して、入力パターン信号ソースを前記内部パターンジェネレーターに切り換えるマルチプレクサと、前記マルチプレクサの出力による前記予定パターンを制御するためのローカルクロックを提供する内部発振器とを含むとともに、前記制御信号により、予定パターンをＬＣＤに出力して残像を改善するビデオ及びタイミング制御ユニットと、
　前記予定パターンを受信することにより、前記ＬＣＤフレームを更新して、ディスプレイの前記残像を改善するディスプレイマトリックス回路と、を備え、
　
ビデオ及びタイミング制御ユニットへの外部信号が遮断された際に、内部発振器により生成されるローカルクロックを内部パターンジェネレーターに入力して、マルチプレクサの出力による予定パターンを制御する
　　【請求項６】　前記予定電圧値は、通常操作の間における外部電源の動作電圧値と電源オフの電圧値との範囲内に設定するものである請求項５に記載のＬＣＤ電源オフの残像改善システム。
　　【請求項７】　前記予定パターンは前記ＬＣＤフレーム全体に適用される白色信号である請求項５又は請求項６に記載のＬＣＤ電源オフの残像改善システム。
　　【請求項８】　前記予定パターンは前記ＬＣＤフレーム全体に適用される黒色信号である請求項５又は請求項６に記載のＬＣＤ電源オフの残像改善システム。
　　【請求項９】　前記ディスプレイマトリックス回路は、
　行を選択するゲートドライバーと、
　選択された行により、前記予定パターンを入力するデータドライバーと、
　前記入力済み予定パターンを表示するＬＣＤと、
を含むものである請求項５〜請求項８いずれかに記載のＬＣＤ電源オフの残像改善システム。」
　
　なお、アンダーラインは、補正箇所を示すために請求人が付したものである。
　
２　本件補正の適否について
　本件補正は、請求項１に係る発明を特定するために必要な事項である「ＬＣＤ電源オフの残像改善システム」について「ビデオ及びタイミング制御ユニットへの外部信号が遮断された際に、内部発振器により生成されるローカルクロックを内部パターンジェネレーターに入力して、マルチプレクサの出力による予定パターンを制御する」という限定を付加するものであって、平成１８年法律第５５号による改正前の特許法第１７条の２第４項第２号の特許請求の範囲の減縮を目的とするものに該当する。
　
　そこで、本件補正後の請求項１に係る発明（以下、「本願補正発明」という。）が特許出願の際独立して特許を受けることができるものであるか（平成１８年法律第５５号による改正前の特許法第１７条の２第５項において準用する同法第１２６条第５項の規定に適合するか）について、以下に検討する。
　
（１）引用例
　原査定の拒絶の理由に引用された、本件出願の優先権主張の日前に頒布された刊行物である特開平６−４０４７号公報（以下「引用例」という。）には、図面とともに次の事項が記載されている。
　
ア　「【０００３】この点を補うものとして液晶表示器（以下、ＬＣＤという）を用いることができる。すなわち、ＬＣＤによれば、表示装置全体の小型化（特に薄型化）を図ることができる。このようなＬＣＤの中には、強誘電性液晶（以下、ＦＬＣ：Ferroelectric Liquid Crystalという）の液晶セルを用いた表示器（以下ＦＬＣＤ：ＦＬＣディスプレイという）があり、その特長の１つは、その液晶セルの表示状態の保存性にある。」
　
イ　「【００１２】（第１実施例）図２は、本実施例にかかるＦＬＣＤ２６の詳細を示すブロック図である。・・・
【００１４】２６２および２６３は、それぞれセグメント側配線群およびコモン側配線を駆動するための駆動部（それぞれセグメント駆動部、コモン駆動部という）であり、表示データに応じて適切な波形の電圧信号にて各配線を駆動する。その波形等については、例えば特開昭６３−２４３９１９号に開示されている。表示データ信号は、データ変換部２６５から送出される水平同期信号ＨＳＹＮＣに基づいて、そのラインアドレスを示す部分とそれに続くデータ群（９６０ドット分のデータ）とから構成されるシリアル信号Address/Dataとしてライン順次にＦＬＣＤインターフェイス２７を介して入力される。また、当該信号のアドレス部分とデータ群部分とを識別するために、アドレス部分でＨｉｇｈ、データ群部分でＬｏｗとなる識別信号ＡＨ／ＤＬが供給される。データ変換部２６５では当該識別信号ＡＨ／ＤＬに基づいて表示データ信号Address/Dataからアドレス（ラインアドレス）Address およびデータ群Data  が分離され、アドレス／データセレクタ２６４に入力される。アドレス／データセレクタ２６４では、電源切断の要求を検出しない時にはデータ変換部２６５から入力されたAddress およびDataをそれぞれコモン駆動部２６３およびセグメント駆動部２６２にセットする。イニシャルデータ発生部２６６は電源切断を示す信号であるＰＯＦＦ信号が発生した時に表示内容を初期化するアドレスとデータ群を生成する。
【００１５】２６７は表示画面の明るさを得るためにＦＬＣパネル２６１の背面に設けられた複数本の冷陰極蛍光ランプにて構成されるバックライト、２６８は商用交流電源（以下、ＡＣ電源という）から所望の直流電源（以下ＤＣ電源という）を得るためのスイッチング電源である。スイッチング電源により得られたＤＣ電源は、ＦＬＣＤ２６を構成するデータ変換部２６５やイニシャルデータ発生部２６６他の電源として供給される。２６９はバックライト２６７へ供給される電源の投入／切断を制御するバックライト制御部である。
【００１６】以下に、情報処理システム側にて電源切断の要求が発生した時の動作について説明する。
【００１７】図３は、本実施例において電源切断の要求が発生した時のタイミング図を示す。ハードスイッチ２８１の押下等により電源切断の要求が発生し、それがＣＰＵ１１に通知されると、ＣＰＵ１１はＦＬＣＤインタフェース２７内にあるパワーコントロールレジスタ２７１のＰＯＦＦビットに１をセットする。図１０にパワーコントロールレジスタ２７１の構成を示す。本例ではパワーコントロールレジスタ２７１を８ビット構成としてビット０にＰＯＦＦビットを充て、このビットに１がセットされたときにActiveとなる事とする。ＰＯＦＦビットは表示画面の初期化要求信号であるＰＯＦＦ信号としてＦＬＣＤ２６内のアドレス／データセレクタ２６４およびイニシャルデータ発生部２６６に入力されており、ＰＯＦＦ信号が発生すると、まずイニシャルデータ発生部２６６からバックライト制御部２６９へ、バックライト２６７へ供給されている電源を切断してバックライトを消灯するための信号が送出される。バックライトが消灯された後で、アドレス／データセレクタ２６４ではコモン駆動部およびセグメント駆動部に与えるアドレスおよびデータ群を強制的にデータ変換部２６５からの出力からイニシャルデータ発生部２６６からの出力に切り換える。次にイニシャルデータ発生部２６６では、アドレスが０から垂直走査方向の配線数（本例では１３１１）まで出力され、その時のデータ群として表示状態を黒にするためのデータとして例えば”１”（または白にするためのデータとして例えば”０”）の同一データが出力される。このデータは予めイニシャルデータ発生部２６６の中にセットされているデータである。１３１２本全ての書き換えが完了すると、ＦＬＣＤ２６の表示画面には全面黒（または全面白）が表示されることになる。」
　
ウ　「【００１９】（第２実施例）・・・本例では、ＦＬＣＤ２６内に電圧監視回路を設け、スイッチング電源２６８から出力されるＤＣ監視電圧が、ある所定の値以下になったならばＦＬＣＤ２６に供給されるＡＣ電源が切断されたと認識し、表示内容の初期化処理を行なう構成について説明する。
【００２０】図４は、本例にかかるＦＬＣＤ２６の詳細を示すブロック図、図５は図４の構成において電源の切断が行なわれた時のタイミング図である。
【００２１】図４において、２７０はスイッチング電源２６８により得られたＤＣ監視電圧がある所定の電圧より低下したことを検出する電圧監視回路である。図６に電圧監視回路２７０の回路図を示す。
【００２２】図６において、２７０１はＤＣ監視電圧が基準電圧以下になったことを検出するコンパレータ、２７０２はツェナーダイオードであり、２７０３は抵抗であり、基準電圧を作り出す。
【００２３】以上の構成において、電源の切断が行なわれた時の動作について以下に説明する。
【００２４】ＦＬＣＤ２６に供給されるＡＣ電源が切断されると、スイッチング電源２６８ではＤＣ監視電圧（本例では２４ボルト）がロジック制御電圧よりも先に低下して行き、基準電圧（本例では２０ボルト）に達すると、電圧監視回路２７０内のコンパレータ２７０１がＡＣ電源が切断されたと検知してＰＯＷＤＯＷＮ信号を発生する。ＰＯＷＤＯＷＮ信号はアドレス／データセレクタ２６４およびイニシャルデータ発生部２６６に入力され、イニシャルデータ発生部２６６の制御によりバックライト２６７を消灯した後で表示画面の初期化処理が行なわれる。表示画面の初期化処理については、第１実施例において表示画面の初期化要求信号であるＰＯＦＦ信号が発生したときの動作と同じである。表示画面を初期化するのに充分な時間をおいた後にロジック制御電圧が切れてＦＬＣＤ２６の動作が停止するようにすれば、ＦＬＣＤ２６は全面黒（または全面白）の状態を記憶したまま電源が切断されることになる。」
　
エ　図面の図４には、「ＣＬＯＣＫ」信号が、データ変換部２６５とイニシャルデータ発生部２６６の双方に入力されるように描かれている。
　
　上記摘記事項アないしエによると、引用例には、以下の発明（以下「引用発明」という。）が記載されているものと認められる。
　
　「ロジック制御電圧を提供するスイッチング電源２６８と、
　前記ロジック制御電圧が切れる前に、ＤＣ監視電圧と基準電圧を比較することによって、ＤＣ監視電圧の電圧値を検出するとともに、その比較した結果によりＡＣ電源が切断されたことを検知してＰＯＷＤＯＷＮ信号を発生する電圧監視回路２７０と、
　表示状態を黒または白にするためのアドレスおよびデータ群を出力するイニシャルデータ発生部２６６と、上記電圧監視回路２７０の前記ＰＯＷＤＯＷＮ信号により、コモン駆動部およびセグメント駆動部に与えるアドレスおよびデータ群をイニシャルデータ発生部２６６からの出力に切り換えて、表示状態を黒または白にするためのアドレスおよびデータ群を受信するアドレス／データセレクタ２６４を含むとともに、前記ＰＯＷＤＯＷＮ信号により、表示状態を黒または白にするためのアドレスおよびデータ群をＦＬＣパネル２６１に出力して表示画面を初期化するＦＬＣパネルの電源切断時の表示画面の初期化処理システム。」
　
（２）対比
　本願補正発明と引用発明とを対比する。
ア　引用発明の「ロジック制御電圧」、「スイッチング電源２６８」、「前記ロジック制御電圧が切れる前」、「ＡＣ電源」、「ＰＯＷＤＯＷＮ信号」、「電圧監視回路２７０」、「表示状態を黒または白にするためのアドレスおよびデータ群」、「イニシャルデータ発生部２６６」及び「アドレス／データセレクタ２６４」は、それぞれ本願補正発明の「動作電力」、「電源」、「動作電力下」、「外部電源」、「制御信号」、「電圧検出器」、「予定パターン」、「内部パターンジェネレーター」及び「マルチプレクサ」に相当する。
　
イ　引用発明の「ＤＣ監視電圧と基準電圧を比較することによって、ＤＣ電圧の電圧値を検出するとともに、その比較した結果によりＡＣ電源が切断されたことを検知してＰＯＷＤＯＷＮ信号を発生する」ことと、本願補正発明の「外部電源の電圧値と予定電圧値を比較することによって、外部電源の電圧値を検出するとともに、その比較した結果により制御信号を生成する」ことは、「電圧値を比較することによって、外部電源の変化を検出するとともに、その比較した結果により制御信号を生成する」点で共通する。
　
ウ　引用発明の「コモン駆動部およびセグメント駆動部に与えるアドレスおよびデータ群」は、本願補正発明の「入力パターン信号」に相当し、引用発明において、上記「アドレスおよびデータ群」を「イニシャルデータ発生部２６６からの出力に切り換え」ることは、本願補正発明において、「入力パターン信号ソースを前記内部パターンジェネレーターに切り換え」ることに相当する。
　
エ　引用発明の「ＦＬＣパネル」は、本願補正発明の「ＬＣＤ」に相当する。
　
オ　引用発明の「表示画面を初期化」及び「表示画面の初期化処理システム」は、残像も消去することから、本願補正発明の「残像を改善」及び「残像改善システム」に相当する。
　
カ　引用発明の「イニシャルデータ発生部」と「アドレス／データセレクタ２６４」は、表示状態を黒または白にするためのアドレスおよびデータ群を、ＦＬＣパネルに出力して表示画面を初期化するものであり、ＦＬＣパネルに表示するタイミングを制御していることも明らかであるから、本願補正発明の「ビデオ及びタイミング制御ユニット」に相当する。
　
　以上アないしカから、本願補正発明と引用発明とは、以下の一致点で一致し、以下の相違点１及び２で相違する。
　
＜一致点＞
　「動作電力を提供する電源と、
　前記動作電力下で、電圧値を比較することによって、外部電源の変化を検出するとともに、その比較した結果により制御信号を生成する制御信号を生成する電圧検出器と、
　予定パターンを提供する内部パターンジェネレーターと、前記電圧検出器の前記制御信号により入力パターン信号ソースを前記内部パターンジェネレーターに切り換えて予定パターンを受信するマルチプレクサとを含むとともに、前記制御信号により、予定パターンを前記ＬＣＤに出力して残像を改善するビデオ及びタイミング制御ユニットとを備えるＬＣＤ電源オフの残像改善システム。」
　
＜相違点１＞
　本願補正発明では、「外部電源の電圧値と予定電圧値を比較することによって、外部電源の電圧値を検出するとともに、その比較した結果により」制御信号を生成するのに対し、引用発明では、「ＤＣ監視電圧と基準電圧を比較することによって、ＤＣ監視電圧の電圧値を検出するとともに、その比較した結果によりＡＣ電源が切断されたことを検知して」ＰＯＷＤＯＷＮ信号（「制御信号」に相当。）を生成する点。
　
＜相違点２＞
　本願補正発明のビデオ及びタイミング制御ユニットが、前記マルチプレクサの出力による前記予定パターンを制御するためのローカルクロックを提供する内部発振器を含み、ビデオ及びタイミング制御ユニットへの外部信号が遮断された際に、内部発振器により生成されるローカルクロックを内部パターンジェネレーターに入力して、マルチプレクサの出力による予定パターンを制御するのに対し、引用発明には、ローカルクロックを提供する内部発振器についての記載がなく、外部信号が遮断された際にどのような制御がなされるのかが不明である点。
　
（３）判断
　上記各相違点について検討する。
　
ア　相違点１について
　引用発明の「ＰＯＷＤＯＷＮ信号」は、スイッチング電源２６８から出力されるＤＣ監視電圧と基準電圧を比較した結果により生成されていて、スイッチング電源２６８においてＤＣ電圧に変換された後の電圧を検出して出力されるものとなっているが、ＡＣ電源（「外部電源」に相当。）が切断されたことを検知するという目的を考慮すれば、ＤＣ電圧に変換した後の電圧値を検出するか、ＡＣ電源の電圧値を直接検出するかは、当業者が適宜選択できる事項であるといえるから、引用発明において、ＤＣ監視電圧と基準電圧を比較することに代えて、ＡＣ電源の電圧値と基準電圧を比較することにより、ＡＣ電源の切断を検知するものとして、上記相違点１に係る構成とすることは、当業者が随時なし得る設計変更である。
　
イ　相違点２について
　引用例の図面の図４において、イニシャルデータ発生部２６６に外部からＣＬＯＣＫ信号を入力することが描かれている（上記摘記事項エ参照。）ごとく、クロック信号は、表示の制御に必須のものである。
　そして、液晶表示装置内に内部クロック信号の生成手段を配置して、外部からのクロック信号が停止されたときに、内部クロック信号により表示の制御を行うことは、例えば、特開平１０−２２２１３４号公報に、「【００４０】さらに、電源オフ時表示部１５０は、制御信号停止検出・生成部１５４を具備し、この制御信号停止検出・生成部１５４には、コンピュータ本体側からのクロック信号が入力され、内部クロック信号（ＣＬ’）、・・・の各制御信号を生成する。・・・【００４３】通常の動作、即ち、電源オフ検出信号がＬｏｗレベルの場合では、コンピュータ本体側からの制御信号が各オア回路（１５５〜１５８）を介して、インタフェース部１００に送出される。また、液晶表示モジュール（ＬＣＭ）の電源が暫くしてオフとなる場合、即ち、電源オフ検出信号がＨｉｇｈレベルの場合には、制御信号停止検出・生成部１５４で生成された内部制御信号が、各オア回路（１５５〜１５８）を介して、インタフェース部１００に送出される。」と記載されるごとく従来周知である。
　してみれば、引用発明においても、表示状態を黒または白にするためのアドレスおよびデータ群をＦＬＣパネル２６１に出力して表示画面を初期化するためには、クロック信号が必要となるのであるから、上記周知技術を適用して、上記相違点２のごとく構成することは当業者が容易に想到できたことである。
　
　そして、本願補正発明の作用効果も、引用発明及び周知技術から当業者が予測できる範囲のものである。
　したがって、本願補正発明は、引用発明及び周知技術に基いて、当業者が容易に発明をすることができたものである。
　
（４）むすび
　以上のとおりであるから、本件補正後の請求項１に係る発明は、特許法第２９条第２項の規定により特許出願の際独立して特許を受けることができないものである。
　そして、本件補正後の請求項１に係る発明が特許出願の際独立して特許を受けることができないものであるから、本件補正は、平成１８年法律第５５号による改正前の特許法第１７条の２第５項において準用する同法第１２６条第５項の規定に違反するものであり、同法第１５９条第１項の規定において読み替えて準用する同法第５３条第１項の規定により却下すべきものである。
　
第３　本願発明
　平成１７年４月２８日に提出された手続補正書による補正は上記のとおり却下したので、本件出願の請求項１に係る発明（以下「本願発明」という。）は、平成１６年１２月２７日に提出された手続補正書により補正された明細書及び図面の記載からみて、その特許請求の範囲の請求項１に記載された事項により特定されるとおりのものである。（上記「第２　１　（１）本件補正前の特許請求の範囲」を参照。）
　
第４　引用例
　引用例及びその記載事項は、上記「第２　２　（１）引用例」に記載したとおりである。
　
第５　対比・判断
　本願発明は、上記「第２　２」で検討した本願補正発明から、「ＬＣＤ電源オフの残像改善システム」の限定事項である「ビデオ及びタイミング制御ユニットへの外部信号が遮断された際に、内部発振器により生成されるローカルクロックを内部パターンジェネレーターに入力して、マルチプレクサの出力による予定パターンを制御する」という発明特定事項を省いたものである。
　そうすると、本願発明の発明特定事項をすべて含み、さらに他の発明特定事項を付加したものに相当する本願補正発明が、上記「第２　２　（３）判断」に記載したとおり、引用発明及び周知技術に基いて、当業者が容易に発明をすることができたものであるから、本願発明も同様の理由により、引用発明及び周知技術に基いて、当業者が容易に発明をすることができたものである。
　
第６　むすび
　以上のとおり、本件出願の請求項１に係る発明は、特許法第２９条第２項の規定により特許を受けることができない。
　そして、請求項１に係る発明が特許を受けることができないものであるから、その余の請求項に係る発明について検討するまでもなく、本件出願は、拒絶すべきものである。
　よって、結論のとおり審決する。